【手続補正書】
【提出日】平成25年8月16日(2013.8.16)
【手続補正１】
【補正対象書類名】特許請求の範囲
【補正対象項目名】全文
【補正方法】変更
【補正の内容】
【特許請求の範囲】
【請求項１】
表示部の表示領域内の位置を示す位置情報を受付ける受付手段と、
前記位置情報に基づいて対象機器の設定項目の内容を設定する設定手段と、
前記設定項目の内容に関連付けられた連続する位置情報と前記内容とを前記表示部に表示するように制御する制御手段と
を有する表示装置。
【請求項２】
前記制御手段は、前記受付手段が受付けた位置情報に基づいて選択される、前記内容位置情報と該項目の内容とを表示するように制御する
請求項１記載の表示装置。
【請求項３】
前記制御手段は、前記設定手段によって設定された内容を示す表示をし、前記内容が設定された場合に、該内容を反映した表示をするように制御する
請求項１又は２記載の表示装置。
【請求項４】
前記制御手段は、前記設定手段によって設定された内容からは設定することができない設定項目に関する情報は表示しないように制御する
請求項１乃至３記載の表示装置。
【請求項５】
前記制御手段は、前記設定手段による設定がなされる頻度に応じて選択される、前記内容に関連付けられた連続する位置情報と該内容とを表示するように制御する
請求項１乃至４記載の表示装置。
【請求項６】
前記制御手段は、前記内容に関連付けられた連続する位置情報の少なくとも一部が重なっている場合は、交互に表示するように制御する
請求項１乃至５記載の表示装置。
【請求項７】
前記制御手段は、前記内容に関連付けられた連続する位置情報の少なくとも一部が重なっている場合は、相互に異なる色により表示するように制御する
請求項１乃至６記載の表示装置。
【請求項８】
前記制御手段は、複数の軌跡に基づいて前記設定手段による設定がなされる内容に対応する、連続する位置情報について、表示する他の連続する位置情報とは異なる色で表示するように制御する
請求項１乃至７記載の表示装置。
【請求項９】
前記制御手段は、前記設定手段により設定される内容に関連付けられた連続する位置情報及び該内容のうち、表示対象として設定されたものを表示するように制御する
請求項１乃至８記載の表示装置。
【請求項１０】
表示部の表示領域内の位置を示す位置情報を受付ける受付手段と、
前記位置情報に基づいて自装置の設定項目の内容を設定する設定手段と、
前記設定項目の内容に関連付けられた連続する位置情報と前記内容とを前記表示部に表示するように制御する制御手段と
前記設定手段により設定された内容に基づいて画像を印刷する印刷手段と
を有する画像形成装置。
【請求項１１】
前記設定手段は、短辺綴じの両面印刷を行なう設定、長辺綴じの両面印刷を行なう設定、２頁分の画像について１枚の用紙に印刷を行なう設定、小冊子として印刷する設定、原稿の向きを変更して印刷を行なう設定、出力する用紙サイズを拡大して印刷を行なう設定、又は出力する用紙サイズを縮小して印刷を行なう設定のうち、少なくともいずれか一つを設定する
請求項１０記載の画像形成装置。
【請求項１２】
表示部の表示領域内の位置を示す位置情報を受付ける受付手段と、
前記位置情報に基づいて自装置の設定項目の内容を設定する設定手段と、
前記設定項目の内容に関連付けられた連続する位置情報と前記内容とを前記表示部に表示するように制御する制御手段と
前記設定手段により設定された内容に基づいて、被写体を撮影して撮影画像を取得する画像取得手段と
を有する撮像装置。
【請求項１３】
前記設定手段は、撮影感度の設定、撮影画像の色合いを補正する補正量の設定、被写体に応じて予め定められた設定内容により撮影画像を取得するようにする設定、撮影画像の画素数の設定のうち、少なくともいずれか一つを設定する
請求項１２記載の撮像装置。
【請求項１４】
表示部の表示領域内の位置を示す位置情報を受付ける受付ステップと、
前記位置情報に基づいて対象機器の設定項目の内容を設定する設定ステップと、
前記設定項目の内容に関連付けられた連続する位置情報と該内容とを前記表示部に表示するように制御する表示制御ステップと
をコンピュータに実行させるプログラム。
【手続補正２】
【補正対象書類名】明細書
【補正対象項目名】０００５
【補正方法】変更
【補正の内容】
【０００５】
［表示装置］
請求項１に係る本発明は、表示部の表示領域内の位置を示す位置情報を受付ける受付手段と、
前記位置情報に基づいて対象機器の設定項目の内容を設定する設定手段と、
前記設定項目の内容に関連付けられた連続する位置情報と前記内容とを前記表示部に表示するように制御する制御手段とを有する表示装置である。
【手続補正３】
【補正対象書類名】明細書
【補正対象項目名】０００６
【補正方法】変更
【補正の内容】
【０００６】
請求項２に係る本発明は、前記制御手段は、前記設定手段によって設定された内容を示す表示をし、前記内容が設定された場合に、該内容を反映した表示をするように制御する請求項１又は２記載の表示装置である。
【手続補正４】
【補正対象書類名】明細書
【補正対象項目名】０００７
【補正方法】変更
【補正の内容】
【０００７】
請求項３に係る本発明は、前記制御手段は、前記設定手段によって設定された内容を示す表示をし、前記内容が設定された場合に、該内容を反映した表示をするように制御する請求項１又は２記載の表示装置である。
【手続補正５】
【補正対象書類名】明細書
【補正対象項目名】０００８
【補正方法】変更
【補正の内容】
【０００８】
請求項４に係る本発明は、前記制御手段は、前記設定手段によって設定された内容からは設定することができない設定項目に関する情報は表示しないように制御する
請求項１乃至３記載の表示装置である。
【手続補正６】
【補正対象書類名】明細書
【補正対象項目名】０００９
【補正方法】変更
【補正の内容】
【０００９】
請求項５に係る本発明は、前記制御手段は、前記設定手段による設定がなされる頻度に応じて選択される、前記内容に関連付けられた連続する位置情報と該内容とを表示するように制御する請求項１乃至４記載の表示装置である。
【手続補正７】
【補正対象書類名】明細書
【補正対象項目名】００１０
【補正方法】変更
【補正の内容】
【００１０】
請求項６に係る本発明は、前記制御手段は、前記内容に関連付けられた連続する位置情報の少なくとも一部が重なっている場合は、交互に表示するように制御する
請求項１乃至５記載の表示装置である。
【手続補正８】
【補正対象書類名】明細書
【補正対象項目名】００１１
【補正方法】変更
【補正の内容】
【００１１】
請求項７に係る本発明は、前記制御手段は、前記内容に関連付けられた連続する位置情報の少なくとも一部が重なっている場合は、相互に異なる色により表示するように制御する請求項１乃至６記載の表示装置である。
【手続補正９】
【補正対象書類名】明細書
【補正対象項目名】００１２
【補正方法】変更
【補正の内容】
【００１２】
請求項８に係る本発明は、前記制御手段は、複数の軌跡に基づいて前記設定手段による設定がなされる内容に対応する、連続する位置情報について、表示する他の連続する位置情報とは異なる色で表示するように制御する請求項１乃至７記載の表示装置である。
【手続補正１０】
【補正対象書類名】明細書
【補正対象項目名】００１３
【補正方法】変更
【補正の内容】
【００１３】
請求項９に係る本発明は、前記制御手段は、前記設定手段により設定される内容に関連付けられた連続する位置情報及び該内容のうち、表示対象として設定されたものを表示するように制御する請求項１乃至８記載の表示装置である。
【手続補正１１】
【補正対象書類名】明細書
【補正対象項目名】００１４
【補正方法】変更
【補正の内容】
【００１４】
［画像形成装置］
請求項１０に係る本発明は、表示部の表示領域内の位置を示す位置情報を受付ける受付手段と、前記位置情報に基づいて自装置の設定項目の内容を設定する設定手段と、前記設定項目の内容に関連付けられた連続する位置情報と前記内容とを前記表示部に表示するように制御する制御手段と前記設定手段により設定された内容に基づいて画像を印刷する印刷手段とを有する画像形成装置である。
【手続補正１２】
【補正対象書類名】明細書
【補正対象項目名】００１６
【補正方法】変更
【補正の内容】
【００１６】
［撮像装置］
請求項１２に係る本発明は、表示部の表示領域内の位置を示す位置情報を受付ける受付手段と、
前記位置情報に基づいて自装置の設定項目の内容を設定する設定手段と、前記設定項目の内容に関連付けられた連続する位置情報と前記内容とを前記表示部に表示するように制御する制御手段と前記設定手段により設定された内容に基づいて、被写体を撮影して撮影画像を取得する画像取得手段とを有する撮像装置である。
【手続補正１３】
【補正対象書類名】明細書
【補正対象項目名】００１８
【補正方法】変更
【補正の内容】
【００１８】
［プログラム］
請求項１４に係る本発明は、表示部の表示領域内の位置を示す位置情報を受付ける受付ステップと、前記位置情報に基づいて対象機器の設定項目の内容を設定する設定ステップと、前記設定項目の内容に関連付けられた連続する位置情報と該内容とを前記表示部に表示するように制御する表示制御ステップとをコンピュータに実行させるプログラムである。